(57)【要約】【課題】  コンパクトな外形を有してロック及びアンロックを確実に行うことができるコネクタのロック構造を提供する。【解決手段】  複数の雌端子１４を収容し、係合突起１５を有する雄コネクタハウジング１１と、雌端子１４に電気的に接続される複数の雄端子１６を収容し、コネクタ挿入方向に係合突起１５を挿通させる挿通溝１７を有する雌コネクタハウジング１２と、スライドロック部材１３と、を備えている。そして、スライドロック部材１３は、コネクタ挿入方向に対して直交する方向にスライド移動可能に雌コネクタハウジング１２に装着され、係合突起１５のコネクタ挿入方向への移動を許容し、コネクタ挿入方向に対し直交する方向に移動して、係合突起１５が係止部１８を乗り越えたとき、係合突起１５のコネクタ離脱方向への移動を阻止する。【選択図】  図１
2005158674.tif 000002
【特許請求の範囲】
【請求項１】
嵌合可能な雌雄コネクタに設けられたロック構造であって、
雄コネクタ及び雌コネクタのいずれか一方が係合突起を備え、
前記雄コネクタ及び前記雌コネクタの他方が、コネクタ挿入方向に対して直交する方向に移動可能に保持されると共に前記係合突起と係合する係止部を有するスライドロック部材と、前記スライドロック部材を付勢して移動させる付勢手段と、を備え、
前記雌雄コネクタの完全嵌合に伴って前記係合突起が前記係止部との係合位置に到達すると、前記付勢手段によって前記スライドロック部材が自動的に移動されて前記係止部が前記係合突起と係合することを特徴とするコネクタのロック構造。
【請求項２】
前記雄コネクタが、雄端子型及び雌端子型のいずれか一方の少なくとも１つの第１端子を収容する雄コネクタハウジングを有し、当該雄コネクタハウジングの外側面上に前記係合突起が突出して設けられ、
前記雌コネクタが、雄端子型及び雌端子型のいずれか他方の型であって且つ前記第１端子と電気的に接続される少なくとも１つの第２端子を収容する雌コネクタハウジングを有し、
前記雌コネクタハウジングが、前記第２端子を取り囲み且つ前記雄コネクタハウジングが嵌脱されるフード部と、前記スライドロック部材を挿入可能な開口部と、当該開口部の内側に、コネクタ挿入方向に対して直交する方向に当該スライドロック部材を移動可能に支持する支持部と、を有し、
前記フード部に、前記開口部に連通して前記スライドロック部材の前記係止部に到達し且つ前記係合突起を挿通させる挿通溝が設けられており、
前記雌雄コネクタの嵌合移動に伴って、前記係合突起が、前記挿通溝に案内され、前記係止部に当接して前記スライドロック部材をコネクタ挿入方向に対して直交する一方向に移動させ、前記係止部との前記係合位置に到達することを特徴とする請求項１に記載したコネクタのロック構造。
【請求項３】
前記雄コネクタが、雄端子型及び雌端子型のいずれか一方の少なくとも１つの第１端子を収容する雄コネクタハウジングを有し、当該雄コネクタハウジングの外側面上に前記スライドロック部材と、前記付勢手段と、が設けられ、
前記雌コネクタが、雄端子型及び雌端子型のいずれか他方の型であって且つ前記第１端子と電気的に接続される少なくとも１つの第２端子を収容する雌コネクタハウジングを有し、
前記雌コネクタハウジングが、前記第２端子を取り囲み且つ前記雄コネクタハウジングが嵌脱されるフード部を有し、
前フード部の内壁に、前記スライドロック部材を収容する収容部と、当該収容部に突出する前記係合突起と、が設けられており、
前記雌雄コネクタの嵌合移動に伴って、前記係合突起が前記係止部に当接して前記スライドロック部材をコネクタ挿入方向に対して直交する一方向に移動させ、前記係止部との前記係合位置に到達することを特徴とする請求項１に記載のコネクタのロック構造。
【請求項４】
前記スライドロック部材が設けられた前記雄コネクタハウジング又は前記雌コネクタハウジングが、前記スライドロック部材の脱落を防止し且つコネクタ挿入方向に対して直交する方向の移動を案内するガイド部を有することを特徴とする請求項１から請求項３のいずれか一項に記載のコネクタのロック構造。
【請求項５】
前記付勢手段が、前記スライドロック部材に設けられた弾性片と、前記雄コネクタ及び前記雌コネクタのいずれか一方に設けられ且つ前記弾性片を当接させる当接用壁と、を有することを特徴とする請求項１から請求項４のいずれか一項に記載のコネクタのロック構造。
【請求項６】
前記弾性片および前記当接用壁が、前記スライドロック部材の移動方向に平行な該スライドロック部材の仮想中心線に関して対称に、それぞれ一対設けられていることを特徴とする請求項５に記載のコネクタのロック構造。
【請求項７】
前記弾性片が、前記スライドロック部材の移動方向に伸延していることを特徴とする請求項５または請求項６に記載のコネクタのロック構造。
【請求項８】
前記弾性片が、前記スライドロック部材と、当該スライドロック部材が設けられた前記雄コネクタハウジング又は前記雌コネクタハウジングと、の間に介在することを特徴とする請求項７に記載のコネクタのロック構造。
【請求項９】
前記スライドロック部材において、少なくとも前記弾性片が弾性の金属材料より成ることを特徴とする請求項５から請求項８のいずれか一項に記載のコネクタのロック構造。
【請求項１０】
前記弾性片が前記スライドロック部材と一体に形成されていることを特徴とする請求項５から請求項９のいずれか一項に記載のコネクタのロック構造。
【請求項１１】
前記当接用壁が、前記弾性片と当接する傾斜した当接面を有していることを特徴とする請求項５から請求項１０のいずれか一項に記載のコネクタのロック構造。
【請求項１２】
前記スライドロック部材が、前記係止部のコネクタ挿入方向前方側に、前記係合突起が当接する傾斜面を有することを特徴とする請求項１から請求項３のいずれか一項に記載のコネクタのロック構造。
【請求項１３】
前記スライドロック部材が、突出した操作部を有することを特徴とする請求項１から請求項３のいずれか一項に記載のコネクタのロック構造。
【請求項１４】
前記スライドロック部材を装着される前記雌コネクタハウジング又は前記雄コネクタハウジングが、前記雌雄コネクタの嵌合状態を示すインジケータを有することを特徴とする請求項１から請求項３のいずれかに記載のコネクタのロック構造。
【請求項１５】
前記スライドロック部材が、前記雄コネクタハウジングの前記雌コネクタハウジングへの挿入時に前記係合突起に当接する当接斜面と可撓性を有する押圧片を備えていることを特徴とする請求項１に記載のコネクタのロック構造。
【請求項１６】
前記スライドロック部材が、スライド移動した際の衝撃を緩和する緩衝部を有することを特徴とする請求項１５に記載のコネクタのロック構造。
【発明の詳細な説明】
【技術分野】
【０００１】
本発明は、一組の雌雄コネクタ相互の嵌合により複数の接続端子の電気的な接続を行なうコネクタのロック構造に関する。
【背景技術】
【０００２】
従来のコネクタのロック構造の一例としては、ワイヤハーネス側の雄コネクタハウジングに係合突起が設けられ、雄コネクタハウジングが嵌脱される機器側（基板側）の雌コネクタハウジングのフード部に、雄コネクタハウジングの係合突起を挿通する挿通溝が設けられ、係合突起に係合する可撓性の係止突起を有したスライド部材が操作部の押圧操作により移動自在に設けられているものが知られている（例えば、特許文献１参照）。
【０００３】
このようなコネクタのロック構造では、スライド部材が押圧操作されて両コネクタハウジングが嵌合した時点で、ロックアームの係止突起により雄コネクタハウジングの係合突起がそれぞれ係合されてロックされる。そして、スライド部材をロックとは逆方向に係合突起の一個分の幅だけ移動させることにより、ロックが解除される。
【特許文献１】特開平１１−０４０２６６号公報（図１、第３頁〜第４頁）
【発明の開示】
【発明が解決しようとする課題】
【０００４】
ところが、上記特許文献１に開示されたコネクタのロック構造では、スライド部材のロックアームが、コネクタ挿入方向と直交する方向よりもコネクタ挿入方向と同一の方向に長く形成され、ロックアームの外周を切除した切欠きにより押圧変形する構成になっている。そのため、ロックアームが確実に変形するように該ロックアームを長く形成すると、雌コネクタハウジングが長くなって全体の外形が大型化する虞がある。
【０００５】
本発明は、前述した問題点に鑑みてなされたものであり、その目的は、コンパクトな外形を有しながらロック動作及びアンロック動作を確実に行うことができるコネクタのロック構造を提供することにある。
【課題を解決するための手段】
【０００６】
１）本発明のコネクタのロック構造は、嵌合可能な雌雄コネクタに設けられたロック構造であって、
雄コネクタ及び雌コネクタのいずれか一方が係合突起を備え、
前記雄コネクタ及び前記雌コネクタの他方が、コネクタ挿入方向に対して直交する方向に移動可能に保持されると共に前記係合突起と係合する係止部を有するスライドロック部材と、前記スライドロック部材を付勢して移動させる付勢手段と、を備え、
前記雌雄コネクタの完全嵌合に伴って前記係合突起が前記係止部との係合位置に到達すると、前記付勢手段によって前記スライドロック部材が自動的に移動されて前記係止部が前記係合突起と係合することを特徴とする。
【０００７】
前記構成のコネクタのロック構造によれば、スライドロック部材が、コネクタ挿入方向に対して直交する方向に移動可能に雄コネクタ及び雌コネクタのいずれか一方に保持されている。そして、雌雄コネクタの完全嵌合に伴って、係合突起が係止部との係合位置に到達し、付勢手段によってスライドロック部材が自動的に移動される。これにより、係合突起が係止部と係合して、雌コネクタと雄コネクタは完全嵌合状態でロックされる。
【０００８】
従って、スライドロック部材がコネクタ挿入方向に対して直交する方向に自動的に移動されることにより、雄コネクタを雌コネクタから抜け止めることができるため、雌雄コネクタのコネクタ挿入方向の長さに影響を与えることがない。よって、雌雄コネクタのコンパクト化を図るとともに、雌雄コネクタ相互のロック動作及びアンロック動作を確実に行うことができる。
【０００９】
２）本発明のコネクタのロック構造は、前記１）に記載のコネクタのロック構造において、前記雄コネクタが、雄端子型及び雌端子型のいずれか一方の少なくとも１つの第１端子を収容する雄コネクタハウジングを有し、当該雄コネクタハウジングの外側面上に前記係合突起が突出して設けられ、
前記雌コネクタが、雄端子型及び雌端子型のいずれか他方の型で且つ前記第１端子と電気的に接続される少なくとも１つの第２端子を収容する雌コネクタハウジングを有し、
前記雌コネクタハウジングが、前記第２端子を取り囲み且つ前記雄コネクタハウジングが嵌脱されるフード部と、前記スライドロック部材を挿入可能な開口部と、当該開口部の内側に、コネクタ挿入方向に対して直交する方向に当該スライドロック部材を移動可能に支持する支持部と、を有し、
前記フード部に、前記開口部に連通して前記スライドロック部材の前記係止部に到達し且つ前記係合突起を挿通させる挿通溝が設けられており、
前記雌雄コネクタの嵌合移動に伴って、前記係合突起が前記挿通溝に案内され、前記係止部に当接して前記スライドロック部材をコネクタ挿入方向に対して直交する一方向に移動させ、前記係止部との前記係合位置に到達することを特徴とする。
【００１０】
前記構成のコネクタのロック構造によれば、スライドロック部材が、開口部を通って雌コネクタハウジングに挿入され、支持部によりコネクタ挿入方向に対して直交する方向に移動可能に支持される。これにより、スライドロック部材は、雌コネクタハウジングからの突出量が小さく、しかもスムースなスライド移動を行うことができる。
そして、雄コネクタハウジングが雌コネクタハウジングに挿入される際に、係合突起が挿通溝に案内されてスライドロック部材の係止部に当接し、スライドロック部材をコネクタ挿入方向に対して直交する一方向に移動させて係止部との係合位置に到達する。これにより、雄コネクタハウジングが雌コネクタハウジングに挿入される一連の操作において、雌雄コネクタのロック動作を自動的に行うことができる。
【００１１】
３）本発明のコネクタのロック構造は、前記１）に記載のコネクタのロック構造において、前記雄コネクタが、雄端子型及び雌端子型のいずれか一方の少なくとも１つの第１端子を収容する雄コネクタハウジングを有し、当該雄コネクタハウジングの外側面上に前記スライドロック部材と、前記付勢手段と、が設けられ、
前記雌コネクタが、雄端子型及び雌端子型のいずれか他方の型で且つ前記第１端子と電気的に接続される少なくとも１つの第２端子を収容する雌コネクタハウジングを有し、
前記雌コネクタハウジングが、前記第２端子を取り囲み且つ前記雄コネクタハウジングが嵌脱されるフード部を有し、
前フード部の内壁に、前記スライドロック部材を収容する収容部と、当該収容部に突出する前記係合突起と、が設けられており、
前記雌雄コネクタの嵌合移動に伴って、前記係合突起が前記係止部に当接して前記スライドロック部材をコネクタ挿入方向に対して直交する一方向に移動させ、前記係止部との前記係合位置に到達することを特徴とする。
【００１２】
前記構成のコネクタのロック構造によれば、雌コネクタハウジングがフード部の内部に収容部と係合突起とを有しているので、雌雄コネクタが完全に嵌合した状態において、スライドロック部材の露出部分を削減することができ、外部から衝撃等を受けた際の雌雄コネクタの不必要なアンロック動作を防止することができる。
そして、雄コネクタハウジングが雌コネクタハウジングに挿入される際に、係合突起がスライドロック部材の係止部に当接し、スライドロック部材をコネクタ挿入方向に対して直交する一方向に移動させて係止部との係合位置に到達する。これにより、雄コネクタハウジングが雌コネクタハウジングに挿入される一連の操作において、雌雄コネクタのロック動作を自動的に行うことができる。
【００１３】
４）本発明のコネクタのロック構造は、前記１）〜３）のいずれかに記載のコネクタのロック構造において、前記スライドロック部材が設けられた前記雄コネクタハウジング又は前記雌コネクタハウジングが、且つ前記スライドロック部材の脱落を防止して且つコネクタ挿入方向に対して直交する方向の移動を案内するガイド部を有することを特徴とする。
【００１４】
前記構成のコネクタのロック構造によれば、スライドロック部材がガイド部によって抜け止めされ且つスライド移動を案内される。これにより、スライドロック部材は、ガイド部に案内されながら一層スムースに移動することができる。
【００１５】
５）本発明のコネクタのロック構造は、前記１）〜４）のいずれかに記載のコネクタのロック構造において、前記付勢手段が、前記スライドロック部材に設けられた弾性片と、前記雄コネクタ及び前記雌コネクタのいずれか一方に設けられ且つ前記弾性片を当接させる当接用壁と、を有することを特徴とする。
【００１６】
前記構成のコネクタのロック構造によれば、雌雄コネクタハウジングの嵌合に伴ってスライドロック部材の弾性片が当接用壁に当接した状態で撓むことにより、当接用壁に対して弾性片の弾性復元力が作用し、その反作用によりスライドロック部材を押し戻そうとする付勢力が生じる。これにより、係合突起が係止部を越えて係合位置に達したとき、スライドロック部材が付勢力によって自動的に押し戻されて係止部と係合することで、雌雄コネクタハウジング相互の嵌合状態を確実にロックすることができる。また、係合突起と係止部との係合動作がスナップアクション的に明確に行われるので、雌雄コネクタハウジング相互の中途嵌合状態を検知することができる。
【００１７】
６）本発明のコネクタのロック構造は、前記５）に記載のコネクタのロック構造において、前記弾性片および前記当接用壁が、前記スライドロック部材の移動方向に平行な該スライドロック部材の仮想中心線に関して対称に、それぞれ一対設けられていることを特徴とする。
【００１８】
前記構成のコネクタのロック構造によれば、雌雄コネクタハウジングの嵌合に伴って、一対の当接用壁に一対の弾性片がそれぞれ当接し、一対の弾性片が前記スライドロック部材の移動方向に平行な仮想中心線に関して対象に且つ均等に撓むので、各弾性片の前記弾性復元力において、スライドロック部材の移動方向と直交する方向の成分は互いに打ち消しあうように作用する。即ち、スライドロック部材には、スライドロック部材の移動方向に平行な前記付勢力が作用する。これにより、移動時のスライドロック部材の傾きが防止され、ガタなく滑らかにスライドロック部材を移動させることが可能となり、係合突起と係止部との係合を確実にすると共に、係合解除時の操作性が向上する。また、弾性片の長さを短くすることができ、コネクタのロック構造の小型化が可能となる。
【００１９】
７）本発明のコネクタのロック構造は、前記５）及び６）のいずれかに記載のコネクタのロック構造において、前記弾性片が、前記スライドロック部材の移動方向に伸延していることを特徴とする。
【００２０】
前記構成のコネクタのロック構造によれば、雌雄コネクタのコネクタ挿入方向の長さを短くでき、よって雌雄コネクタのコンパクト化を図ることができる。
【００２１】
８）本発明のコネクタロック構造は、前記７）に記載のコネクタのロック構造において、前記弾性片が、前記スライドロック部材と、当該スライドロック部材が設けられた前記雄コネクタハウジング又は前記雌コネクタハウジングと、の間に介在することを特徴とする。
【００２２】
前記構成のコネクタのロック構造によれば、スライドロック部材の移動方向（即ち、コネクタ挿入方向に対して直交する方向）に伸延した弾性片を、スライドロック部材と当該スライドロック部材が設けられた雄コネクタハウジング又は雌コネクタハウジングとの間に介在させるようにしたので、弾性片をスライドロック部材からその移動方向に突出させることがなく、または突出部分を削減することができ、よって、雌雄コネクタのコネクタ挿入方向の長さを短くできると共に、雌雄コネクタのコネクタ挿入方向と直交する方向の長さも短くすることができる。これにより、雌雄コネクタの一層のコンパクト化を図ることができる。
【００２３】
９）本発明のコネクタのロック構造は、前記５）〜８）のいずれかに記載のコネクタのロック構造において、前記スライドロック部材において、少なくとも前記弾性片が弾性の金属材料より成ることを特徴とする。
【００２４】
一般に銅合金等の金属材料は樹脂材料と比較して弾性に優れているで、前記構成のコネクタのロック構造によれば、スライドロック部材の移動に応じて撓む弾性片を金属材料により形成することで弾性片を小型化することができ、よって雌雄コネクタの一層のコンパクト化を図ることができる。
【００２５】
１０）本発明のコネクタのロック構造は、前記５）〜９）のいずれかに記載のコネクタのロック構造において、前記弾性片が前記スライドロック部材と一体に形成されていることを特徴とする。
【００２６】
前記構成のコネクタのロック構造によれば，弾性片およびスライドロック部材を樹脂材料のみ、樹脂材料と金属材料との組み合せ、又は金属材料のみにより一体に成形するので、生産性を向上させ、また生産コストを削減することができる。
【００２７】
１１）本発明のコネクタのロック構造は、前記５）〜１０）のいずれかに記載のコネクタのロック構造において、前記当接用壁が、前記弾性片と当接する傾斜した当接面を有していることを特徴とする。
【００２８】
前記構成のコネクタのロック構造によれば、弾性片と当接する当接面が傾斜しているので、弾性片の撓み量を小さくして過大変形を防止できる。これにより、弾性片の破損を防止するとともに、スライドロック部材を均一な弾性力でスムースに移動させることができる。
【００２９】
１２）本発明のコネクタのロック構造は、前記１）〜３）のいずれかに記載のコネクタのロック構造において、前記スライドロック部材が、前記係止部のコネクタ挿入方向前方側に、前記係合突起が当接する傾斜面を有することを特徴とする。
【００３０】
前記構成のコネクタのロック構造によれば、雄コネクタハウジングが雌コネクタハウジングに挿入されるのに伴って、スライドロック部材の係止部前方側の傾斜面に雄コネクタハウジングの係合突起が当接してから、スライドロック部材を傾斜面の傾斜方向と逆の方向に容易にスライド移動させることができる。
【００３１】
１３）本発明のコネクタのロック構造は、前記１）〜３）のいずれかに記載のコネクタのロック構造において、前記スライドロック部材が、その本体から突出した操作部を有することを特徴とする。
【００３２】
前記構成のコネクタのロック構造によれば、操作部によってスライドロック部材をロック解除方向に容易にスライド移動させることができるので、メンテナンス時等における雌雄コネクタハウジング相互の離脱操作を確実且つ容易に行うことができる。
【００３３】
１４）本発明のコネクタのロック構造は、前記１）〜３）のいずれかに記載のコネクタのロック構造において、前記スライドロック部材を装着される前記雌コネクタハウジング又は前記雄コネクタハウジングが、前記雌雄コネクタの嵌合状態を示すインジケータを有することを特徴とする。
【００３４】
前記構成のコネクタのロック構造によれば、雌雄コネクタハウジング相互の中途嵌合状態を検知することができ、雌雄コネクタ相互のロック及びアンロックを確実に行うことができる。
【００３５】
１５）本発明のコネクタのロック構造は、前記１）に記載のコネクタのロック構造において、前記スライドロック部材が、前記雄コネクタハウジングの前記雌コネクタハウジングへの挿入時に前記係合突起に当接する当接斜面と弾性の押圧片を備えていることを特徴とする。
【００３６】
前記構成のコネクタのロック構造によれば、雄コネクタハウジングの雌コネクタハウジングへの挿入に伴って、雄コネクタハウジングの係合突起がスライドロック部材の押圧片の当接斜面に当接して、該押圧片を撓ませながらスライドロック部材をコネクタ挿入方向に対して直交する一方向に付勢させる。そして、係合突起が係止部を乗り越えた時、撓んだ押圧片の付勢力によってスライドロック部材が一方向と逆方向にスライド移動されて係止部が係合突起と係合する。従って、雄コネクタハウジングを雌コネクタハウジングから抜け止めることができ、雌雄コネクタハウジングのコネクタ挿入方向の長さに影響を与えることがなく、コンパクト化を図ることができるとともに、雌雄コネクタハウジング相互のロック及びアンロックを確実に行うことができる。また、係合突起と係止部との係合動作がスナップアクション的に明確に行われるので、雌雄コネクタハウジング相互の中途嵌合状態を検知することができる。
【００３７】
１６）本発明のコネクタのロック構造は、前記１５）に記載のコネクタのロック構造において、前記スライドロック部材がスライド移動した際の衝撃を緩和する緩衝部を有することを特徴とする。
【００３８】
前記構成のコネクタのロック構造によれば、緩衝部によってスライドロック部材のスライド移動時に生ずる衝撃が緩和され、引っ掛かり等を起こすことなくスライドロック部材をスムースに移動させることができる。
【発明の効果】
【００３９】
本発明のコネクタのロック構造によれば、スライドロック部材がコネクタ挿入方向に対して直交する方向に移動することによって、雌コネクタハウジング外形のコンパクト化を図ることができるとともに、雌雄コネクタ相互のロック動作及びアンロック動作を確実に行うことができる。
【発明を実施するための最良の形態】
【００４０】
以下、本発明に係る複数の好適な実施形態を図面に基づいて詳細に説明する。
【００４１】
図１は本発明に係るコネクタのロック構造の第１実施形態を示す雌雄コネクタハウジングの平面図、図２は図１における雌コネクタハウジングとスライドロック部材の外観斜視図、図３は図２におけるスライドロック部材装着後の雌コネクタハウジングの外観斜視図である。
【００４２】
また、図４は図３における雌コネクタハウジングの正面図、図５は図３における雌コネクタハウジングの背面図、図６は図４におけるＡ−Ａ線断面図、図７（ａ）は図２におけるスライドロック部材の平面図、図７（ｂ）は図７（ａ）の正面図、図７（ｃ）は図７（ａ）の底面図である。また、図８は図１における雌雄コネクタハウジングのロック前の状態を示す平面図、図９は図１における雌雄コネクタハウジングのロック後の状態を示す平面図である。
【００４３】
また、図１０は本発明に係るコネクタのロック構造の第２実施形態を示す雌コネクタハウジングとスライドロック部材の外観斜視図、図１１は図１０における斜め下方から見た外観斜視図、図１２は図１０におけるスライドロック部材のロック前の状態を示す横断面図、図１３は図１２におけるスライドロック部材のロック後の状態を示す横断面図である。
【００４４】
図１に示すように、本発明に係る第１実施形態であるコネクタのロック構造は、複数の雌端子１４を収容し、係合突起１５を有する雄コネクタハウジング１１と、相互嵌合により雌端子１４に電気的に接続される複数の雄端子１６を収容し、コネクタ挿入方向に係合突起１５を挿通させる挿通溝１７を有する雌コネクタハウジング１２との嵌合構造である。そして、雌コネクタハウジング１２内には、中途嵌合状態においては係合突起１５のコネクタ挿入方向への移動を許容し、且つ完全嵌合状態においては係合突起１５のコネクタ離脱方向への移動を阻止する係止部１８を有するスライドロック部材１３が、コネクタ挿入方向に対して直交する方向にスライド移動可能に装着されている。
【００４５】
雄コネクタハウジング１１は、その上面中央部においてコネクタ挿入方向端部に係合突起１５が形成されている。雄コネクタハウジング１１には、複数の雌端子１４がコネクタ挿入方向に向けて収容されている。各雌端子１４には、ワイヤハーネス（不図示）に有する各リード部（不図示）が電気的に接続される。
【００４６】
図１および図２に示すように、雌コネクタハウジング１２は、四角筒形状のフード部２０を有する。また、フード部２０の内側がコネクタ挿入部２１になっており、フード部２０の内面の中央部に挿通溝１７が形成されている。挿通溝１７には、雄コネクタハウジング１１が雌コネクタハウジング１２に挿入される際に、雄コネクタハジング１１の係合突起１５が挿通される。雌コネクタハウジング１２には、複数の雄端子１６がコネクタ挿入方向に向けて収容されている。各雄端子１６は、基板（不図示）上に配されたプリント配線（不図示）に電気的に接続される。つまり、雌コネクタハウジング１２は、その側面に一対に設けられた基板固定部２２，２２が基板に固定されることにより、基板上に配される。
【００４７】
また、雌コネクタハウジング１２は、スライドロック部材１３を挿入可能な開口部２３を有するとともに、開口部２３の内側に、コネクタ挿入方向に対して直交する方向にスライドロック部材１３を移動可能に支持する支持部２４を有する。開口部２３は、フード部２０の上面における中央部において、コネクタ挿入方向の後方側を開放して形成されている。支持部２４は、開口部２３の内側であって、フード部２０に平行に配されている。開口部２３は、スライドロック部材１３を雌コネクタハウジング１２に挿入するのに用いられる。そのため、スライドロック部材１３が開口部２３を介して雌コネクタハウジング１２内に収容されるため、スライドロック部材１３の雌コネクタハウジング１２からの突出量を最小限に抑えることができる。また、支持部２４は、スライドロック部材１３をコネクタ挿入方向に対して直交する方向に移動可能に支持するため、スライドロック部材１３がスムースなスライド移動を行うことができる。
【００４８】
また、雌コネクタハウジング１２は、スライドロック部材１３が開口部２３を介して挿入されてから、スライドロック部材１３を抜け止めして移動をガイドするガイド部２５を有する。ガイド部２５は、支持部２４の背面側に２個の切欠き２６，２６を有する板状に突出形成されている。ガイド部２５は、スライドロック部材１３の下面に形成された一対の突部２７，２７（図７（ｃ）参照）に対応して配されているため、スライドロック部材１３が開口部２３を介して挿入される際に、スライドロック部材１３の突部２７，２７を通過させ、その後に、スライドロック部材１３がコネクタ挿入方向に対して直交する方向に移動する際に、突部２７，２７に摺接することにより、スライドロック部材１３を抜け止めしながらスムースにスライド移動させる。
【００４９】
また、雌コネクタハウジング１２は、支持部２４の側端部に当接用壁２８を有する。当接用壁２８は、スライドロック部材１３において支持部２４に内装される本体２９の端部に形成された付勢手段である弾性片３０が当接するように配されている。そのため、スライドロック部材１３の弾性片３０が当接用壁２８に当接することで、スライドロック部材１３を押し戻す方向（図１中、下方向）に付勢する。しかも、雌コネクタハウジング後方側の外方向に傾斜しているので、弾性片３０の撓み量を小さくして過大変形を防止できる。これにより、弾性片３０の破損を防止するとともに、スライドロック部材１３を均一な弾性力でスムースに移動させることができる。
【００５０】
図７（ａ）〜（ｃ）に示すように、スライドロック部材１３は、合成樹脂により成形されており、主として、本体２９と、突部２７，２７と、弾性片３０と、係止部１８と、傾斜面３２と、操作部３３と、を備えている。
【００５１】
本体２９は、開口部２３を介して雌コネクタハウジング１２に挿入され、支持部２４によって支持される板形状に形成されている。突部２７，２７は、本体２９の下面において後方側に一対に突出形成されている。突部２７，２７は、スライドロック部材１３が開口部２３を介して挿入される際に、ガイド部２５の切欠き２６，２６（図２参照）を通過し、その後、スライドロック部材１３が移動される際に、ガイド部２５に摺接することにより、抜け止めされながらスライド移動される。
【００５２】
弾性片３０は、本体２９の端部において側方に向けて突出形成されており、本体２９側に向けて弾性変形可能に形成されている。この弾性片３０は、雌コネクタハウジング１２の当接用壁２８に当接されることにより、スライドロック部材１３の移動の際に、弾性変形して弾性反発力を蓄積し、スライドロック部材１３を押し戻す方向（図１中、下方向）に付勢している。
【００５３】
係止部１８は、本体２９の下面において、雄コネクタハウジング１２の係合突起１５を係合する鉤状であり、雌コネクタハウジング１２内に向けて突出形成されている。そして、係止部１８は、スライドロック部材１３が移動前の第１状態にあるとき、雄コネクタハウジング１２の係合突起１５のコネクタ挿入方向の前方側に配される。また、雄コネクタハウジング１１が雌コネクタハウジング１２に挿入された後に、スライドロック部材１３が一方向に移動後、再び逆方向に押し戻された第２状態にあるとき、雄コネクタハウジング１２の係合突起１５のコネクタ挿入方向の後方側に配されて係合突起１５を係止し、雄コネクタハウジング１１をロックする。
【００５４】
係止部１８は、スライドロック部材１３がコネクタ挿入方向に対して直交する方向に一度移動してから再び押し戻される往復移動により、雄コネクタハウジング１２の係合突起１５に係止して、雄コネクタハウジング１１を雌コネクタハウジング１２にロックするため、コネクタ離脱方向へは移動しない。そのため、雌雄コネクタハウジング１１，１２のコネクタ挿入方向の長さに影響を与えることなくロック及びアンロックを確実に行うことができる。
【００５５】
傾斜面３２は、係止部１８のコネクタ挿入方向前方側に配されている。この傾斜面３２は、雄コネクタハウジング１１が雌コネクタハウジング１２に挿入される際に、雄コネクタハウジング１１の係合突起１５に当接する。そのため、雄コネクタハウジング１１の係合突起１５がスライドロック部材１３の傾斜面３２に当接しながら挿入することにより、スライドロック部材１３を雌コネクタハウジング１２の当接用壁２８側に移動させる。そして、雄コネクタハウジング１１の挿入が進み、係合突起１５が係止部１８を乗り越えたとき、当接用壁２８に撓み状態で当接していた弾性片３０の反発力によりスライドロック部材１３を自動的に押し戻す。これにより、係合突起１５が係止部１８に係止されるため、その動作がスナップアクション的に行われるので、雌雄コネクタハウジング１１，１２の嵌合状態が中途嵌合状態であった場合、雄コネクタハウジング１１が押し戻されるので容易に中途嵌合状態を判別できる。
【００５６】
操作部３３は、端面を波状にして本体２９から僅かに突出して形成されている。この操作部３３は、雄コネクタハウジング１１を雌コネクタハウジング１２から離脱させるときに操作するもので、操作部３３を摘んでスライドロック部材１３を当接用壁２８側に移動させることで、容易にアンロック状態にすることができる。すなわち、作業者が操作部３３を押圧或いは摘んで当接用壁２８側に移動させるだけで、係合突起１５と係止部１８の係止状態を解除させることができ、雌コネクタハウジング１２から雄コネクタハウジング１１を引抜くことで、雌雄コネクタハウジング１１，１２を容易に離脱させることができる。
【００５７】
また、係止部１８の対向位置には、雄コネクタハウジング１１の係合突起１５の幅に対応して離間した位置に、コネクタ挿入方向に沿って突出されたガイド板３４が形成されている。このガイド板３４は、雄コネクタハウジング１１の係合突起１５が進行する際に、その係合突起１５を係止部１８の後方へ確実に案内する。
【００５８】
図２〜図５に示すように、スライドロック部材１３は、雌コネクタハウジング１２の背面側から、開口部２３に向けて挿入することで装着される。このとき、本体２９が雌コネクタハウジング１２の支持部２４によって支持され、スライドロック部材１３の本体２９の下面に突出した突部２７，２７（図７（ｃ）参照）が雌コネクタハウジング１２のガイド部２５の切欠き２６，２６を通過する。そして、雌コネクタハウジング１２に挿入されたスライドロック部材１３は、操作部３３がフード部２０の上面に僅かに突出しているだけであり、フード部２０の上面が略平坦になっている。
【００５９】
図６に示すように、雌コネクタハウジング１２に収容された雄端子１６は、上段側の雄端子１６のリード部１６Ａの先端部が雌コネクタハウジング１２の下面、即ち、基板の上面と同一面を形成するように折り曲げられて配されている。また、下段側の雄端子１６のリード部１６Ａは上段側よりも短く形成されており、その先端部が雌コネクタハウジング１２の下面と同一面を形成するように折り曲げられて配されている。
【００６０】
次に、図８及び図９に基づいて、雌雄コネクタハウジング１１，１２のスライドロック部材１３によるロック動作について説明する。先ず、スライドロック部材１３が雌コネクタハウジング１２に装着されている状態（図１参照）において、図８に示すように、雄コネクタハウジング１１が雌コネクタハウジング１２のコネクタ挿入部２１内に挿入される。そして、係合突起１５が傾斜面３２に当接しながら挿入され、この挿入に伴ってスライドロック部材１３はコネクタ挿入方向と直交する当接用壁２８側の方向にスライド移動する。このとき、スライドロック部材１３の弾性片３０は、当接用壁２８に撓んだ状態で当接しており、当接用壁２８側とは逆方向に付勢されている。
【００６１】
そして、雄コネクタハウジング１１がコネクタ挿入部２１内に完全挿入されるまでの間に、雄コネクタハウジング１１の係合突起１５は、傾斜面３２に当接しながら雌コネクタハウジング１２の挿通溝１７を通過し、ガイド板３４と係止部１８との間を通過すると、スライドロック部材１３が弾性片３０の付勢力によって元の位置（図９の位置）に自動的に押し戻され、係合突起１５は係止部１８の後方側に配置される。
【００６２】
図９に示すように、スライドロック部材１３が元の位置に押し戻されると、係止部１８が係合突起１５のコネクタ挿入方向後方側に配されるため、係止部１８により係合突起１５が係止され、雄コネクタハウジング１１と雌コネクタハウジング１２はロック状態となる。これにより、雄コネクタハウジング１１の雌端子１４と雌コネクタハウジング１２の雄端子１６とが電気的に接続される。
【００６３】
このロック状態を解除するに際しては、スライドロック部材１３の操作部３３を操作して当接用壁２８側（図９中、上方）に移動させることにより、係止部１８と係合突起１５との係止状態が容易に解除され、アンロック状態となる。これにより、雄コネクタハウジング１１の係合突起１５に、ガイド板３４と係止部１８との間、雌コネクタハウジング１２の挿通溝１７へと通ずる通路が形成されるため、雄コネクタハウジング１１をコネクタ挿入部２１から離反方向に引き出すことができ、雄コネクタハウジング１１を雌コネクタハウジング１２から容易に離脱させることができる。
【００６４】
上述したように第１実施形態のコネクタのロック構造によれば、スライドロック部材１３が、コネクタ挿入方向に対して直交する方向にスライド移動可能に雌コネクタハウジング１２に装着されている。そして、雄コネクタハウジング１１の係合突起１５が雌コネクタハウジング１２の挿通溝１７を介して雌コネクタハウジング１２内に挿入される。この挿入に伴って、スライドロック部材１３がコネクタ挿入方向に対し直交する当接用壁２８側に弾性片３０を撓ませながら移動し、係合突起１５が係止部１８を乗り越えることで、弾性片３０の付勢力によって自動的に元の位置に押し戻される。これにより、係止部１８が係合突起１５を係止して、雄コネクタハウジング１１のコネクタ離脱方向への移動を阻止することで、雄コネクタハウジング１１と雌コネクタハウジング１２とを抜け止め状態にロックする。
【００６５】
従って、スライドロック部材１３がコネクタ挿入方向に対して直交する方向に付勢されることにより、雄コネクタハウジング１１を雌コネクタハウジング１２から抜け止めすることができるため、雌雄コネクタハウジング１１，１２のコネクタ挿入方向の長さに影響を与えることがなく、雌雄コネクタハウジング１１，１２のコンパクト化を図ることができるとともに、ロック及びアンロックを確実に行うことができる。
【００６６】
また、開口部２３を介して、スライドロック部材１３が雌コネクタハウジング１２に挿入され、支持部２４により、コネクタ挿入方向に対して直交する方向にスライドロック部材１３が移動可能に支持される。これにより、スライドロック部材１３の雌コネクタハウジング１２からの突出量を最小限に抑えることができ、スライドロック部材１３のスムースなスライド移動を行うことができる。
【００６７】
また、ガイド部２５により、装着されたスライドロック部材１３が抜け止めされてスライド移動されるので、スライドロック部材１３は抜け止めを図りながら、ガイド部２５に案内されスムースにスライド移動を行うことができる。
【００６８】
また、弾性片３０が、雌コネクタハウジング１２の当接用壁２８に当接することにより、スライドロック部材１３が付勢された状態で雄コネクタハウジング１１の係合突起１５が挿入されるので、スライドロック部材１３の押し戻しを付勢力により自動的に行うことができ、雌雄コネクタハウジング１１，１２の完全嵌合状態を容易にロックすることができる。
【００６９】
また、雄コネクタハウジング１１が雌コネクタハウジング１２に挿入される際に、スライドロック部材１３の傾斜面３２に雄コネクタハウジング１１の係合突起１５が当接しながらスライド移動するので、雄コネクタハウジング１１の挿入に伴ってスライドロック部材１３をスライド移動させることができる。これにより、中途嵌合状態では雄コネクタハウジング１１が雌コネクタハウジング１２内から押し出されるので、中途嵌合状態を容易に検知することができる。
【００７０】
また、操作部３３によりスライドロック部材１３を容易にスライド移動させることができるので、雌雄コネクタハウジング１１，１２の完全嵌合状態を容易に解除することができる。
【００７１】
次に、本発明に係るコネクタのロック構造の第２実施形態を図１０〜図１３に基づいて詳細に説明する。なお、既に説明した第１実施形態と同様な構成・作用を有する部材等については、図中に同一符号または相当符号を付することにより説明を簡略化或いは省略する。
【００７２】
図１０および図１１に示すように、本発明の第２実施形態であるコネクタのロック構造は、雄コネクタハウジング１１の雌コネクタハウジング１２への挿入時に係合突起１５に当接する当接斜面を有する押圧片４２が、スライドロック部材４１に形成されている。このスライドロック部材４１が、係合突起１５の押圧片４２への当接により、スライド移動されて係止部４３が係合突起１５のコネクタ離脱方向への移動を阻止する構成である。
【００７３】
スライドロック部材４１は、板形状の本体４４の中央部に押圧片４２を有する。押圧片４２は、可撓性を有しており、コネクタ挿入方向に対して当接斜面を形成するようにへ字形状に構成されている。また、スライドロック部材４１は、本体４４の端部に緩衝部４５を有する。緩衝部４５は、スライドロック部材４１が、スライド移動した際に雌コネクタハウジング１２の開口部２３の端面に衝突することにより、その際の衝撃を緩和する。また、スライドロック部材４１は、雌コネクタハウジング１２に形成された矩形の開口部２３に収容される形状にされている。
【００７４】
図１２に示すように、第２実施形態のコネクタのロック構造では、スライドロック部材４１が雌コネクタハウジング１２に装着されている状態において、雄コネクタハウジング１１が雌コネクタハウジング１２のコネクタ挿入部２１内に挿入される。このとき、係合突起１５が押圧片４２に当接することにより、スライドロック部材４１が押圧片４２により付勢される。
【００７５】
図１３に示すように、係合突起１５が係止部４３を越える位置まで挿入されると、スライドロック部材４１がスライド移動されることにより、係止部４３が係合突起１５のコネクタ離脱方向への移動を阻止し、雄コネクタハウジング１１を雌コネクタハウジング１２から抜け止めしてロック状態とする。
【００７６】
前述した第２実施形態のコネクタのロック構造によれば、雄コネクタハウジング１１の雌コネクタハウジング１２への挿入時に、スライドロック部材４１の当接斜面を有する押圧片４２に雄コネクタハウジング１１の係合突起１５が当接することで、雄コネクタハウジング１１の挿入に伴ってスライドロック部材１３が自動的にスライド移動される。そして、係止部４３により、係合突起１５のコネクタ離脱方向への移動が阻止され、雄コネクタハウジング１１と雌コネクタハウジング１２の完全嵌合状態がロックされる。このとき、雌雄コネクタハウジング１１，１２が中途嵌合状態であると、雄コネクタハウジング１１が押し戻されるので、中途嵌合状態を検知することができる。
【００７７】
従って、スライドロック部材４１がコネクタ挿入方向に対して直交する方向に移動することにより、雄コネクタハウジング１１を雌コネクタハウジング１２から抜け止めることができ、雌雄コネクタハウジング１１，１２のコネクタ挿入方向の長さに影響を与えることがなく、雌雄コネクタハウジング１１，１２のコンパクト化を図ることができるとともに、ロック及びアンロックを確実に行うことができる。
【００７８】
また、緩衝部４５により、スライドロック部材４１がスライド移動した際に生ずる衝撃が緩和されるため、引っ掛かり等を起こすことなくスライドロック部材４１をスムースに移動させることができる。
【００７９】
次に、本発明に係るコネクタのロック構造の第３実施形態を図１４〜図２４に基づいて詳細に説明する。なお、既に説明した第１実施形態と同様な構成・作用を有する部材等については、図中に同一符号または相当符号を付することにより説明を簡略化或いは省略する。
【００８０】
図１４は本発明に係るコネクタのロック構造の第３実施形態を示す雌雄コネクタの斜視図、図１５は図１４における雄コネクタハウジングとスライドロック部材の斜視図、図１６は図１５における雄コネクタハウジングの本体の斜視図、図１７は図１５における雄コネクタハウジングの蓋体の斜視図、図１８は図１７における蓋体の背面の斜視図、図１９は図１５におけるスライドロック部材の斜視図、図２０は図１９におけるスライドロック部材の背面の斜視図、図２１は図１４における雌コネクタハウジングの斜視図、図２２は図１４における雌雄コネクタの初期嵌合状態を示す斜視図、図２３は図２２における雌雄コネクタが更に嵌合した中途嵌合状態を示す斜視図、そして、図２４は図２３における雌雄コネクタが更に嵌合した完全嵌合状態を示す斜視図である。
【００８１】
図１４に示すように、本発明に係る第３実施形態であるコネクタのロック構造は、複数の雄端子１６を収容し、係合突起１１５を有する雌コネクタ２と、雄端子１６に電気的に接続される複数の雌端子１４を収容し、スライドロック部材１１３及び付勢手段である当接用壁１２８を有する雄コネクタ１との嵌合構造である。
【００８２】
図１５から図１８に示すように、雄コネクタ１は、複数の雌端子１４（不図示）を整列させて収容する雄コネクタハウジング１１１を有する。雄コネクタハウジング１１１は、複数の雌端子１４を所定のピッチで整列させ且つコネクタ挿入方向に向けて保持するハウジング本体１５０に、ハウジング本体１５０と協働して複数の雌端子１４に接続されるワイヤハーネス（不図示）を固定する蓋体１５１を装着した組立体を、上下２段に連結して構成されている。ワイヤハーネスの各ワイヤは、その先端部に露出されたリード部（不図示）を各雌端子１４にそれぞれ圧接されて電気的に接続される。また、雄コネクタハウジング１１１の長手方向に平行な一側面上の略中央部にはスライドロック部材１１３が前記長手方向（即ち、コネクタ挿入方向に対して直交する方向）に移動可能に保持されている。
【００８３】
雄コネクタハウジング１１１のハウジング本体１５０は合成樹脂を射出成形することによって形成されており、ハウジング本体１５０のコネクタ挿入方向前方側の端部には、端面に開口を有して雌端子１４を収容する複数の雌端子収容孔１５７が前記長手方向に整列して設けられている。ハウジング本体１５０の前記長手方向に平行な一側面上において、コネクタ挿入方向前方の縁部の略中央部には、スライドロック部材１１３の前記長手方向の移動を案内する第１ガイド部１２５が設けられている。第１ガイド部１２５は、前記長手方向に平行な略角柱状にハウジング本体１５０から突出して形成されており、前記長手方向に垂直な断面において、ハウジング本体１５０との接合端から先端に行くに従って広がるように（以後、逆台形状と呼ぶ）形成されている。さらに、第１ガイド部１２５の前記長手方向近傍には、当接用壁１２８が設けられている。当接用壁１２８には当接面１５９が設けられており、当接面１５９は、前記長手方向において雄コネクタハウジング１１１の中央部から側端部に向けてコネクタ挿入方向前方に上昇するように傾斜して形成されている。
【００８４】
ハウジング本体１５０のコネクタ挿入方向後方側の端部（基部）には、雌端子収容孔１５７に連通して、且つ前記リード部が設けられた前記ワイヤの前記先端部をそれぞれ収容する複数のワイヤ収容部１５８が設けられており、各ワイヤ収容部１５８は隔壁１５４によって隣接するワイヤ収容部１５８と隔絶され、前記一側面側を開放して形成されている。前記長手方向に整列された複数の隔壁１５４には、係止突起１５５がそれぞれ設けられており、各係止突起１５５は蓋体１５１に対応して設けられた係止溝１５６にそれぞれ係合して、蓋体１５１をハウジング本体１５０に固定する。ハウジング本体１５０の前記一側面と反対の側面には、別個のハウジング本体１５０を連結するための連結突起１５２と、連結溝１５３とが設けられており、連結突起１５２が別個のハウジング本体１５０の連結溝１５３に、且つ別個のハウジング本体１５０の連結突起１５２が連結溝１５３にそれぞれ嵌合することにより、一組のハウジング本体１５０、１５０が連結される。
【００８５】
雄コネクタハウジング１１１の蓋体１５１は合成樹脂を射出成形することにより形成されており、蓋体１５１の前記長手方向に平行な一側面上において、コネクタ挿入方向後方側の縁部の略中央部にはスライドロック部材１１３の前記長手方向の移動を案内する第２ガイド部１２６が設けられている。第２ガイド部１２６は、前記長手方向に平行な略角柱状に蓋体１５１から突出して形成されており、前記長手方向に垂直な断面において、逆台形状に形成されている。第２ガイド部１２６の前記長手方向近傍には、雄コネクタ１と雌コネクタ２の嵌合状態を示すインジケータ１６６が設けられている。インジケータ１６６としては、スライドロック部材１１３の前記長手方向への移動を妨げない程度に塗布された塗料、又は凹状の窪み等を例示することができる。
【００８６】
蓋体１５１の前記一側面のコネクタ挿入方向における略中央部には、複数の係止溝１５６が前記長手方向に整列して蓋体１５１を貫通して形成されており、各係止溝１５６がハウジング本体１５０の対応する係止突起１５５と係合することにより、蓋体１５１がハウジング本体１５０に固定される。蓋体１５１の前記一側面とは反対の側面上には、各雌端子１４に電気的に接続される前記各ワイヤを、ハウジング本体１５０のワイヤ収容部１５８と協働して固定する複数の第１ワイヤ固定部１６０及び複数の第２ワイヤ固定部１６１が設けられている。
【００８７】
蓋体１５１には、前記長手方向にスライドロック部材１１３を移動可能に支持する支持部１２４が設けられており、支持部１２４は蓋体１５１の前記一側面と、コネクタ挿入方向前方の端面とにより構成される角部に階段状に形成されている。
【００８８】
図１５、図１９及び図２０に示すように、スライドロック部材１１３は、合成樹脂を射出成形することにより形成されており、略矩形板状の本体１２９を有している。雄コネクタハウジング１１１にスライドロック部材１１３を装着した際に、コネクタ挿入方向後方側となる本体１２９の上面の縁部には、波形状に（即ち、凸部と凹部とを交互に配置して）形成された操作部１３３が設けられている。本体１２９のコネクタ挿入方向前方側の当接用壁１２８と近接する角部とは反対の角部には係止部１１８が設けられており、本体１２９の係止部１１８後部領域には切り欠きが設けられ、また係止部１１８の先端部のコネクタ挿入方向前方側には傾斜面１３２が設けられている。言い換えれば、本体１２９の前記領域を切り欠くことにより鉤状に突出した係止部１１８を形成している。
【００８９】
本体１２９の下面のコネクタ挿入方向における略中央部には、雄コネクタハウジング１１１の蓋体１５１の支持部１２４に支持される支持体１２７が、前記長手方向に平行に前記下面より突出して形成されている。支持体１２７には、弾性片１３０が設けられており、弾性片１３０は、略Ｊ字形状に形成され、その湾曲部分を当接用壁１２８の当接面１５９に当接させるように、またその直線部分を前記長手方向に略平行に配置するように支持突起１２７に接続されている。
【００９０】
本体１２９の下面において、コネクタ挿入方向前方側縁部には、ハウジング本体１５０の第１ガイド部１２５と嵌合する第１ガイド溝１６２が、またコネクタ挿入方向後方側縁部には、蓋体１５１の第２ガイド部１２６と嵌合する第２ガイド溝１６３が、それぞれ前記長手方向に平行に設けられている。第１ガイド溝１６２は第１ガイド部１２５の形状に、また第２ガイド溝１６３は第２ガイド部の形状に、それぞれ対応して逆台形状に形成されており、第１ガイド部１２５及び第２ガイド部１２６が、第１ガイド溝１６２及び第２ガイド溝１６３にそれぞれ圧入されることにより、スライドロック部材１１３の脱落を防止する。また、第１ガイド溝１６２は、本体１２９の前記長手方向と直交する一側面まで延設されており、第２ガイド溝１６３は、本体１２９の前記長手方向と直交する他側面まで延設されており、これによりスライドロック部材１１３を前記長手方向に移動可能に保持すると共に、スライドロック部材１１３の過度の移動を防止する。
【００９１】
図２１に示すように、雌コネクタ２は、合成樹脂を射出成形することにより形成されており、複数の雄端子１６を上下２段に且つ前記長手方向に平行に整列させて収容する雌コネクタハウジング１１２を有する。各雄端子１６が、その基端部を基板（不図示）上に配されたプリント配線（不図示）に電気的に接続されると共に、雌コネクタハウジング１１２の前記長手方向と直交する両側面にそれぞれ設けられた基板固定部２２，２２が基板に固定されて、雌コネクタ２は基板上に配置される。雌コネクタハウジング１１２は、複数の雄端子１６を取り囲み且つ雄コネクタハウジング１１１が挿脱される略矩形筒状のフード部１２０を有している。フード部１２０の内壁の略中央部には、雄コネクタハウジングに装着されたスライドロック部材１１３を収容する収容部１６４が設けられており、収容部１６４はスライドロック部材１１３の形状と、その前記長手方向の移動量を考慮して形成されている。
【００９２】
フード部１２０の内壁には、前記長手方向に平行に収容部１６４内に突出する係合突起１１５が設けられている。フード部１２０の開口部に面する係合突起１１５の側面は、雌コネクタハウジング１１２の基部に向かって傾斜しており、雄コネクタ１が雌コネクタ２に挿入される際に、スライドロック部材１１３の係止部１１８の傾斜面１３２と当接して、スライドロック部材１１３を前記長手方向に移動させる。
【００９３】
図１５に示すように、雄コネクタハウジング１１１にスライドロック部材１１３が装着された状態において、スライドロック部材１１３の弾性片１３０は、当接用壁１２８の当接面１５９のコネクタ挿入方向前方に位置している。このとき、弾性片１３０はスライドロック部材１１３（より詳細には、スライドロック部材１１３の本体１２９）と雄コネクタハウジング１１１との間に介在し、スライドロック部材１１３の本体１２９により完全に覆われる。雄コネクタハウジング１１１が雌コネクタハウジング１１２に挿入されると、スライドロック部材１１３の係止部１１８の傾斜面１３２が、雌コネクタハウジング１１２の係合突起１１５に当接し、前記長手方向の当接用壁１２８側にスライドロック部材１１３を移動させる。この時、弾性片１３０は、当接用壁１２８によりコネクタ挿入方向前方に偏向され、同時にスライドロック部材１１３を逆方向に移動させる付勢力を発生させる。
【００９４】
次に、図１４及び図２２から図２４に基づいて、雄コネクタ１及び雌コネクタ２のスライドロック部材１１３によるロック動作について説明する。
【００９５】
スライドロック部材１１３が雄コネクタハウジング１１１に装着されている状態（図１４及び図１５参照）において、図２２に示すように、雄コネクタハウジング１１１及びスライドロック部材１１３が雌コネクタハウジング１１２のフード部１２０内に挿入される。この時、係合突起１１５が傾斜面１３２に当接しながら挿入され、この挿入に伴ってスライドロック部材１１３は前記長手方向の当接用壁１２８側にスライド移動される。このとき、スライドロック部材１１３の弾性片１３０は、その先端部を当接用壁１２８の当接面１５９に当接させた状態で撓んでいる。
【００９６】
そして、図２３に示すように、雄コネクタハウジング１１１がフード部１２０内に完全挿入されるまでの間に、スライドロック部材１１３の係止部１１８の傾斜面１３２が係合突起１１５との当接から解除される。このとき、雄コネクタハウジング１１１の蓋体１５１に設けられたインジケータ１６６はスライドロック部材１１３に覆われており、雌雄コネクタが中途嵌合状態であることが確認される。
【００９７】
そして、雄コネクタハウジング１１１がフード部１２０内にさらに挿入されると、図２４に示すように、スライドロック部材１１３が弾性片１３０の付勢力によって元の位置に自動的に押し戻され、係合突起１１５は係止部１１８の後方側（即ち、係合位置）に配置される。スライドロック部材１１３が元の位置に押し戻されると、係止部１１８が係合突起１１５のコネクタ挿入方向後方側に配されるため、係合突起１１５により係止部１１８が係止され、雄コネクタハウジング１１１と雌コネクタハウジング１１２はロック状態となる。このとき、インジケータ１６６はスライドロック部材１１３の前記長手方向の側方に出現し、雌雄コネクタが完全嵌合状態であることを明示する。
【００９８】
このロック状態を解除するに際しては、スライドロック部材１１３の操作部１３３を操作して当接用壁１２８側に移動させることにより、係合突起１１５と係止部１１８との係止状態が容易に解除され、アンロック状態となる。これにより、雄コネクタハウジング１１１をフード部１２０から離反方向に引き出すことができ、雄コネクタハウジング１１１を雌コネクタハウジング１１２から容易に離脱させることができる。
【００９９】
前述した第３実施形態のコネクタのロック構造によれば、雌コネクタハウジング１１２がフード部１２０の内部にスライドロック部材１１３の収容部１６４と係合突起１１５とを有しているので、雌雄コネクタが完全に嵌合した状態において、スライドロック部材１１３の露出部分を削減することができ、誤操作による雌雄コネクタのアンロックを防止することができる。そして、雄コネクタハウジング１１１が雌コネクタハウジング１１２に挿入される際に、係合突起１１５がスライドロック部材１１３の係止部１１の傾斜面１３２に当接し、スライドロック部材１１３をコネクタ挿入方向に対して直交する一方向に移動させて係止部１１８との係合位置に到達する。これにより、雄コネクタハウジング１１１を雌コネクタハウジング１１２に挿入する一連の操作において、雌雄コネクタのロック動作を自動的に行うことができる。
【０１００】
次に、本発明に係るコネクタのロック構造の第４実施形態を図２５から図２８に基づいて詳細に説明する。なお、既に説明した第１実施形態から第３実施形態と同様な構成・作用を有する部材等については、図中に同一符号または相当符号を付することにより説明を簡略化或いは省略する。
【０１０１】
図２５は本発明に係るコネクタのロック構造の第４実施形態を示す雄コネクタの斜視図、図２６は図２５における雄コネクタハウジングの斜視図、図２７は図２５におけるスライドロック部材の斜視図、そして図２８は図２７におけるスライドロック部材の背面の斜視図である。
【０１０２】
図２５に示すように、雄コネクタ１は当接用壁２２８を設けられた雄コネクタハウジング１１１と、スライドロック部材２１３とを有している。
スライドロック部材２１３は、雄コネクタハウジング１１１の長手方向に平行な一側面上に、前記長手方向（即ち、コネクタ挿入方向に対して直交する方向）に移動可能に保持されている。
【０１０３】
図２６に示すように、雄コネクタハウジング１１１は、合成樹脂を射出成形することにより、スライドロック部材２１３に設けられた弾性片を当接させる当接用壁と共に一体に形成されている。当接用壁２２８は、雄コネクタハウジング１１１の前記一側面上のコネクタ挿入方向後方側の側端部に設けられており、略矩形状に前記一側面から突出して形成されている。当接用壁２２８の中央部には、雄コネクタハウジング１１１の中央部側の前記長手方向と直交する側面から反対側面の近傍に達する略三角形状の切り欠き部が設けられている。前記切り欠き部の一斜面は、コネクタ挿入方向前方に、且つ雄コネクタハウジング１１１の中央部方向に面するように傾斜されており、スライドロック部材２１３に設けられた弾性片と当接する当接面２５９を形成している。
【０１０４】
当接用壁２２８の前記切り欠き部のコネクタ挿入方向前方には、スライドロック部材２１３の前記長手方向の移動を案内する第１ガイド部２２５と、第２ガイド部２２６とが設けられている。第２ガイド部２２６は、当接用壁２２８のコネクタ挿入方向前方の端面に、略コ字溝状に且つ前記長手方向に平行に形成されている。また、第１ガイド部２２５は、当接用壁２２８の前記一側面上において第２ガイド部２２６と前記切り欠き部との間に、略コ字溝状に且つ前記長手方向に平行に形成されている。さらに、当接用壁２２８の前記切り欠き部のコネクタ挿入方向後方には、スライドロック部材２１３の前記長手方向の移動を案内する第３ガイド部２２７が設けられている。第３ガイド部２２７は、当接用壁２２８のコネクタ挿入方向後方の端面に、略コ字溝状に且つ前記長手方向に平行に形成されている。
【０１０５】
スライドロック部材２１３は、弾性の金属材料により弾性片２３０と共に一体に形成されている。スライドロック部材２１３は、略矩形薄板状の本体２２９を有しており、雄コネクタハウジング１１１にスライドロック部材２１３を装着した際に、コネクタ挿入方向後方側となる本体２２９の縁部の中央部には、突出して形成された操作部２３３が設けられている。本体２２９の側部におけるコネクタ挿入方向中央部には、相手方コネクタに設けられた係合突起の形状に対応する切り欠き部が設けられており、該切り欠き部のコネクタ挿入方向前方には、係止部２１８が設けられている。係止部２１８のコネクタ挿入方向前方側の角部は、面取り状に形成された傾斜辺を有しており、前記傾斜辺には、その直交方向に連続する金属片が延設されており、該金属片が本体２２９に対して鉛直下方に直角に屈曲されて、相手方コネクタに設けられた係合突起と当接する傾斜面２３２を形成している。
【０１０６】
本体２２９のコネクタ挿入方向前方の端部には、略へ字形状に本体２２９の下方に突出する第１ガイド突起２３４が設けられている。また、本体２２９のコネクタ挿入方向前方側の縁部には、本体２２９の外方に金属片が延設されており、該金属片が本体２２９に対して鉛直下方に直角に屈曲され、さらにその先端部を本体２２９の内方に直角に屈曲されており、略Ｌ字形状の第２ガイド突起２３５を形成している。同様に、本体２２９のコネクタ挿入方向後方側の縁部には、本体２２９の外方に金属片が延設されており、該金属片が本体２２９に対して鉛直下方に直角に屈曲され、さらにその先端部を本体２２９の内方に直角に屈曲されており、略Ｌ字形状の第３ガイド突起２３６を形成している。第１ガイド突起２３４が当接用壁２２８の第１ガイド部２２５と係合し、第２ガイド突起２３５が当接用壁２２８の第２ガイド部２２６と係合し、そして第３ガイド突起２３６が当接用壁２２８の第３ガイド部２２７と係合することにより、スライドロック部材２１３は雄コネクタハウジング上を前記長手方向に移動可能に保持される。
【０１０７】
第３ガイド突起のコネクタ中央部側の端部において、本体２２９と直交する端面には、本体２２９の外方に連続する金属片が設けられており、該金属片はその基端部（即ち、第３ガイド突起との接続部）において本体２２９の中心部に向けて湾曲され、且つその先端部を略Ｊ字形状にコネクタ挿入方向前方に向けて湾曲されており、本体２２９の下方に弾性片２３０を形成している。スライドロック部材２１３が雄コネクタハウジング１１１に装着された状態において、弾性片２３０はスライドロック部材２１３（より詳細には、スライドロック部材２１３の本体２２９）と雄コネクタハウジング１１１との間に介在し、スライドロック部材２１３の本体２２９により完全に覆われる。
【０１０８】
相手方コネクタである雌コネクタの構造、及び雌コネクタとのロック動作については、前述した第３実施形態と同様であるため、説明を省略する。
【０１０９】
前述した第４実施形態のコネクタのロック構造によれば、一般に銅合金等の金属材料は樹脂材料と比較して弾性に優れているので、スライドロック部材の移動に応じて撓む弾性片を金属材料により形成することで弾性片を小型化することができ、よって雌雄コネクタの一層のコンパクト化を図ることができる。
【０１１０】
次に、本発明に係るコネクタのロック構造の第５実施形態を図２９から図３６に基づいて詳細に説明する。なお、既に説明した第１実施形態から第４実施形態と同様な構成・作用を有する部材等については、図中に同一符号または相当符号を付することにより説明を簡略化或いは省略する。
【０１１１】
図２９は本発明に係るコネクタのロック構造の第５実施形態を示す雌雄コネクタの斜視図、図３０は図２９に示す雄コネクタハウジングの蓋体の上側面の平面図、図３１は図２９に示すスライドロック部材の上側面の平面図、図３２は図２９に示すスライドロック部材の下側面の平面図、図３３は雄コネクタハウジングの蓋体にスライドロック部材を装着した際の平面図、図３４は図３３におけるXXXIV-XXXIV矢視断面図、図３５は図３３におけるXXXV-XXXV矢視断面図、図３６（Ａ）〜（Ｂ）は雌雄コネクタの嵌合移動に伴うスライドロック部材の動作を説明する模式図である。
【０１１２】
図２９に示すように、本発明に係る第５実施形態であるコネクタのロック構造は、複数の雄端子１６（図示せず）を収容すると共に係合突起１１５を有する雌コネクタ２と、雄端子１６に電気的に接続される複数の雌端子１４（図示せず）を収容すると共にスライドロック部材３１３及び付勢手段を構成する当接用壁３２８を有する雄コネクタ１との嵌合構造である。尚、雌コネクタ２の構成については、前述した第３実施形態と同様であるため説明を省略する。
【０１１３】
雄コネクタ１は、複数の雌端子１４（不図示）を整列させて収容する雄コネクタハウジング３１１を有する。雄コネクタハウジング３１１は、複数の雌端子１４を所定のピッチで整列させ且つコネクタ挿入方向に向けて保持する２個のハウジング本体３５０，３５０が上下２段に連結した組立体に、さらに蓋体３５１が組み付けられて構成されている。そして、雄コネクタハウジング３１１の上側面の略中央部にはスライドロック部材３１３が雄コネクタハウジング３１１の長手方向（即ち、コネクタ挿入方向に対して直交する方向）に移動可能に支持されて装着されている。
【０１１４】
雄コネクタハウジング３１１のハウジング本体３５０は合成樹脂を射出成形することによって形成されており、ハウジング本体３５０のコネクタ挿入方向前方側の端部には、端面に開口を有して雌端子１４を収容する複数の雌端子収容孔３６１が前記長手方向に整列して設けられている。各雌端子１４には、ワイヤハーネス等の各ワイヤの先端部に露出されたリード部（不図示）がそれぞれ圧接されて電気的に接続されている。ハウジング本体３５０の下側面には連結突起３５２が、また上側面には連結溝３５３が、前記長手方向に整列して複数設けられており、連結突起３５２が他のハウジング本体３５０の連結溝３５３にそれぞれ嵌合して、ハウジング本体３５０，３５０が連結されている。
【０１１５】
雄コネクタハウジング３１１の蓋体３５１は合成樹脂を射出成形することにより形成されており、ハウジング本体３５０と接合する側面（図２９における、下側面）には、連結突起３５２が前記長手方向に整列して複数設けられており、ハウジング本体３５０の連結溝３５３にそれぞれ嵌合して、ハウジング本体３５０，３５０の組立体に連結されている。また、蓋体３５１の前記長手方向の両側部には下方に延びる係止腕３７１，３７１がそれぞれ設けられており、各係止腕３７１は、ハウジング本体３５０の前記長手方向の両側部に設けられた嵌合溝３６３にそれぞれ嵌合し、且つ各係止腕３７１の先端部に設けられた係止爪がハウジング本体３５０，３５０の組立体の下側面に係合しており、これにより、ハウジング本体３５０，３５０の組立体と蓋体３５１とがさらに強固に一体とされている。
【０１１６】
さらに図３０を参照して、蓋体３５１の連結突起３５２が設けられた側面とは反対側の側面（図２９における上側面）において、コネクタ挿入方向前方側縁部の略中央部には、前記長手方向のスライドロック部材３１３の移動を案内するガイド部３６５が設けられており、ガイド部３６５は前記長手方向に平行な略角柱状に形成されている。さらに、ガイド部３６５のコネクタ挿入方向後方には、一対の当接用壁３２８，３２８が、スライドロック部材３１３の移動方向（即ち、コネクタ挿入方向と直交する方向であって、雄コネクタハウジング３１１の前記長手方向）に平行なスライドロック部材３１３の仮想中心線に関して対称に設けられており、各当接用壁３２８は前記長手方向に平行な略角柱状に形成されている。一対の当接用壁３２８，３２８の互いに対向する側面には、当接面３５９，３５９がそれぞれ設けられており、一対の当接面３５９，３５９は、スライドロック部材３１３の装着時にスライドロック部材３１３に向かうに従って両者の間隔が次第に拡開するように傾斜して形成されている。また、各当接用壁３２８の当接面３５９が設けられた側面とは反対側の側面には、断面略コ字形の案内溝３６７が前記長手方向に平行に形成されている。また、一対の当接用壁３２８，３２８の間には、スライドロック部材３１３の抜けを防止するための突起状の抜け止め３６９が形成されている。
【０１１７】
図３１および図３２に示すように、スライドロック部材３１３は、合成樹脂を射出成形することにより形成されており、略矩形板状の本体３２９を有している。本体３２９の上面において、雄コネクタハウジング３１１にスライドロック部材３１３を装着した際にコネクタ挿入方向後方側となる縁部には、操作部３７５が本体３２９から突出して設けられており、さらに操作部３７５には、スライドロック部材３１３の係合を解除する際の操作方向を示す矢印が突出して形成されている。前記矢印を凸状に形成することにより、視認を容易とし、また操作時に指をかかり易くして操作性を向上させることができる。
【０１１８】
操作部３７５に形成された前記矢印の示す方向の後方側にあたる本体３２９の側部において、コネクタ挿入方向前方側の角部には、略三角形に切欠かれることにより傾斜面３３２が形成されている。また、コネクタ挿入方向略中央部には、係止部３１８が設けられており、係止部３１８はその後部領域を略矩形に切欠くことにより鉤状に形成されている。
【０１１９】
本体３２９の下面には一対の弾性片３３０，３３０が、スライドロック部材３１３の前記仮想中心線に関して対称に設けられており、一対の弾性片３３０，３３０は、係止部３１８が設けられた本体３２９の側部とは他方の側部においてコネクタ挿入方向略中央部に突設された基部３７７からそれぞれ延出し、係止部３１８に向かうに従って次第に拡開するように略ハ字形に形成されている。また、本体３２９の下面において、コネクタ挿入方向前方側および後方側の縁部にそれぞれ立設された側壁には、蓋体３５１の一対の当接用壁３２８，３２８に形成された案内溝３６７，３６７にそれぞれ嵌合して摺接するガイドレール３７９，３７９が前記長手方向に平行に設けられており、各ガイドレール３７９は側壁からそれぞれ内方に突出して形成されている。
【０１２０】
図３３から図３５を参照して、スライドロック部材３１３は、各弾性片３３０が傾斜した当接面３５９に沿うように、蓋体３５１に装着される。このとき、各弾性片３３０は、スライドロック部材３１３（より詳細には、スライドロック部材３１３の本体３２９）と雄コネクタハウジング３１１との間に介在し、スライドロック部材３１３の本体３２９により完全に覆われる。また、スライドロック部材３１３のガイドレール３７９，３７９が当接用壁３２８，３２８に設けられた案内溝３６７，３６７に嵌合し、スライドロック部材３１３の前記長手方向の移動を案内すると共に、スライドロック部材３１３の基部３７７が蓋体３５１の抜け止め３６９と当接し、スライドロック部材３１３の前記長手方向の移動を規制してスライドロック部材の脱落を防止している。
【０１２１】
次に、図３６（Ａ）及び（Ｂ）を参照して、雄コネクタ１及び雌コネクタ２の嵌合に伴うスライドロック部材３１３の動作について説明する。
【０１２２】
雄コネクタ１及び雌コネクタ２が非嵌合状態においては、スライドロック部材３１３は、図３６（Ａ）に示すように、一対の弾性片３３０，３３０の基部３７７を抜け止め３６９に当接させた状態で配置されている。このとき、一対の弾性片３３０，３３０の各先端部は一対の当接面３５９，３５９にそれぞれ軽く接触するか、若しくは僅かな隙間を置いて近接した状態とされている。雄コネクタハウジング３１１が雌コネクタハウジング１１２（不図示）に挿入されると、スライドロック部材３１３の傾斜面３３２が雌コネクタハウジング１１２の係合突起１１５（不図示）に当接し、図３６（Ｂ）に示すように、スライドロック部材３１３は操作部３７５に形成された前記矢印方向に移動する。
【０１２３】
図３６（Ｂ）に示す状態において、一対の弾性片３３０，３３０は、一対の当接面３５９，３５９によりその先端を互いに接近する方向に偏向されている。このとき、各弾性片３３０は、その弾性による復元作用により当接面３５９を押圧し、当接面３５９に弾性復元力を作用させている。この弾性復元力には、スライドロック部材の移動方向に対して平行な成分と垂直な成分とが含まれているが、一対の弾性片３３０，３３０および一対の当接用壁３２８，３２８（より詳細には、一対の当接面３５９，３５９）が、スライドロック部材３１３の前記仮想中心線に関して線対称に形成されているので、各弾性片３３０の前記弾性復元力の垂直方向成分は、互いに打ち消しあうことになる。従って、一対の弾性片３３０，３３０は、スライドロック部材３１３の移動方向に平行で且つ操作部３７５の前記矢印方向とは逆方向の付勢力を発生させる。
【０１２４】
そして、雄コネクタハウジング３１１が雌コネクタハウジング１１２にさらに挿入されるのに伴って、雌コネクタハウジング１１２の係合突起１１５が係止部３１８のコネクタ挿入方向後方の前記切欠きの側方に到達すると、スライドロック部材３１３は、一対の弾性片３３０，３３０による前記付勢力により図３６（Ａ）に示す元の位置に自動的に押し戻される。このとき、係合突起１１５は、係止部３１８のコネクタ挿入方向後方の前記切欠き（即ち、係合位置）に配置され、雄コネクタハウジング３１１と雌コネクタハウジング１１２はロック状態となる。
【０１２５】
このロック状態を解除するに際しては、スライドロック部材３１３の操作部３７５を矢印方向に操作することにより、係合突起３１５と係止部３１８との係止状態が容易に解除され、アンロック状態となる。これにより、雄コネクタハウジング３１１を雌コネクタハウジング１１２から離反方向に引き出すことができ、雄コネクタハウジング３１１を雌コネクタハウジング１１２から容易に離脱させることができる。
【０１２６】
前述した第５実施形態のコネクタのロック構造によれば、雌雄コネクタハウジングの嵌合および離脱移動時のスライドロック部材３１３の移動に伴って、スライドロック部材３１３の前記仮想中心線に関して対象に形成された一対の当接用壁３２８，３２８に一対の弾性片３３０，３３０がそれぞれ当接し、一対の弾性片３３０，３３０が前記仮想中心線に関して対象に且つ均等に撓むので、各弾性片３３０の弾性復元力のうちスライドロック部材３１３の移動方向と直交する方向の成分は互いに打ち消しあうように作用する。これにより、スライドロック部材３１３には、スライドロック部材の移動方向に平行な付勢力が作用することになり、移動時のスライドロック部材３１３の傾きが防止され、ガタなく滑らかにスライドロック部材３１３を移動させることが可能となり、係合突起１１５と係止部３１８との係合を確実にすると共に、係合解除時の操作性が向上する。また、弾性片３３０の長さを短くすることができ、コネクタのロック構造の小型化が可能となる。
【０１２７】
なお、本発明のコネクタのロック構造は、前述した各実施形態に限定されるものでなく、適宜な変形，改良等が可能である。例えば、雌雄コネクタハウジングに収容される雄・雌端子の数は、図示したものに限定されず、少なくとも１つ以上であれば良く、複数の端子を３段、４段等の複数段配列にしても良い。
【０１２８】
また、弾性片の形状については、弾性復元力を生じるものであれば、それらの形状は限定されない。例えば、湾曲形状等にしても良い。
【図面の簡単な説明】
【０１２９】
【図１】本発明に係るコネクタのロック構造の第１実施形態を示す平面図である。
【図２】図１における雌コネクタハウジングとスライドロック部材の外観斜視図である。
【図３】図１におけるスライドロック部材装着後の雌コネクタハウジングの外観斜視図である。
【図４】図３における雌コネクタハウジングの正面図である。
【図５】図１における雌コネクタハウジングの背面図である。
【図６】図４におけるＡ−Ａ線断面図である。
【図７】（ａ）は図１におけるスライドロック部材の単体平面図、（ｂ）は（ａ）の正面図、（ｃ）は（ａ）の底面図である。
【図８】図１におけるスライドロック部材によるロック前の状態を示す平面図である。
【図９】図８におけるスライドロック部材によるロック状態を示す平面図である。
【図１０】本発明に係るコネクタのロック構造の第２実施形態を示す雌コネクタハウジングとスライドロック部材の斜め上方から見た外観斜視図である。
【図１１】図１０における雌コネクタハウジングとスライドロック部材の斜め下方から見た外観斜視図である。
【図１２】図１０におけるスライドロックによるロック前の状態を示す雌コネクタハウジングの横断底面図である。
【図１３】図１０におけるスライドロックによるロック状態を示す雌コネクタハウジングの横断底面図である。
【図１４】図１４は本発明に係るコネクタのロック構造の第３実施形態を示す雌雄コネクタの斜視図である。
【図１５】図１５は図１４における雄コネクタハウジングとスライドロック部材の斜視図である。
【図１６】図１６は図１５における雄コネクタハウジングの本体の斜視図である。
【図１７】図１７は図１５における雄コネクタハウジングの蓋体の斜視図である。
【図１８】図１８は図１７における蓋体の背面の斜視図である。
【図１９】図１９は図１５におけるスライドロック部材の斜視図である。
【図２０】図２０は図１９におけるスライドロック部材の背面の斜視図である。
【図２１】図２１は図１４における雌コネクタハウジングの斜視図である。
【図２２】図２２は図１４における雌雄コネクタの初期嵌合状態を示す斜視図である。
【図２３】図２３は図２２における雌雄コネクタが更に嵌合した中途嵌合状態を示す斜視図である。
【図２４】図２４は図２３における雌雄コネクタが更に嵌合した完全嵌合状態を示す斜視図である。
【図２５】図２５は本発明に係るコネクタのロック構造の第４実施形態を示す雄コネクタの斜視図である。
【図２６】図２６は図２５における雄コネクタハウジングの斜視図である。
【図２７】図２７は図２５におけるスライドロック部材の斜視図である。
【図２８】図２８は図２７におけるスライドロック部材の背面の斜視図である。
【図２９】本発明に係るコネクタのロック構造の第５実施形態を示す雌雄コネクタの斜視図である。
【図３０】図２９に示す雄コネクタハウジングの蓋体の上側面の平面図である。
【図３１】図２９に示すスライドロック部材の上側面の平面図である。
【図３２】図２９に示すスライドロック部材の下側面の平面図である。
【図３３】雄コネクタハウジングの蓋体にスライドロック部材を装着した際の平面図である。
【図３４】図３３におけるXXXIV-XXXIV矢視断面図である。
【図３５】図３３におけるXXXV-XXXV矢視断面図である。
【図３６】（Ａ）〜（Ｂ）は雌雄コネクタの嵌合移動に伴うスライドロック部材の動作を説明する模式図である。
【符号の説明】
【０１３０】
１    雄コネクタ
２    雌コネクタ
１１  雄コネクタハウジング
１２  雌コネクタハウジング
１３  スライドロック部材
１４  雌端子
１５  係合突起
１６  雄端子
１７  挿通溝
１８  係止部
２３  開口部
２４  支持部
２５  ガイド部
２８  当接用壁
２９  本体
３０  弾性片
３２  傾斜面
３３  操作部
４１  スライドロック部材
４２  押圧片
４３  係止部
４４  本体
４５  緩衝部
１１１  雄コネクタハウジング
１１２  雌コネクタハウジング
１１３  スライドロック部材
１１５  係合突起
１１８  係止部
１２０  フード部
１２４  支持部
１２５  第１ガイド部
１２６  第２ガイド部
１２８  当接用壁
１２９  本体
１３０  弾性片
１３２  傾斜面
１５９  当接面
１６２  第１ガイド溝
１６３  第２ガイド溝
２１３  スライドロック部材
２１８  係止部
２２８  当接用壁
２２９  本体
２３０  弾性片
２３２  傾斜面
２３４  第１ガイド突起
２３５  第２ガイド突起
２３６  第３ガイド突起
２５９  当接面
３１３  スライドロック部材
３２８  当接用壁
３３０  弾性片
３５９  当接面
【図１】
2005158674.tif 000003
【図２】
2005158674.tif 000004
【図３】
2005158674.tif 000005
【図４】
2005158674.tif 000006
【図５】
2005158674.tif 000007
【図６】
2005158674.tif 000008
【図７】
2005158674.tif 000009
【図８】
2005158674.tif 000010
【図９】
2005158674.tif 000011
【図１０】
2005158674.tif 000012
【図１１】
2005158674.tif 000013
【図１２】
2005158674.tif 000014
【図１３】
2005158674.tif 000015
【図１４】
2005158674.tif 000016
【図１５】
2005158674.tif 000017
【図１６】
2005158674.tif 000018
【図１７】
2005158674.tif 000019
【図１８】
2005158674.tif 000020
【図１９】
2005158674.tif 000021
【図２０】
2005158674.tif 000022
【図２１】
2005158674.tif 000023
【図２２】
2005158674.tif 000024
【図２３】
2005158674.tif 000025
【図２４】
2005158674.tif 000026
【図２５】
2005158674.tif 000027
【図２６】
2005158674.tif 000028
【図２７】
2005158674.tif 000029
【図２８】
2005158674.tif 000030
【図２９】
2005158674.tif 000031
【図３０】
2005158674.tif 000032
【図３１】
2005158674.tif 000033
【図３２】
2005158674.tif 000034
【図３３】
2005158674.tif 000035
【図３４】
2005158674.tif 000036
【図３５】
2005158674.tif 000037
【図３６】
2005158674.tif 000038